(57)【要約】【課題】液晶表示装置に用いられる集光型光学シートを提供する。【解決手段】本発明の集光型光学シートは、保護シートを使用することなく、イエローバンド又はレインボー現象の発生を防止する。【選択図】図２
2012533763.tif 000002
【特許請求の範囲】
【請求項１】
基材層と、前記基材層の一面又は両面に形成され、多数の立体構造が配列された構造層とを含んでなり、
前記構造層の立体構造は、縦断面視で流線形状を呈し、一つのピーク点を基準として両方向に延長される傾斜部を含み、
前記傾斜部は、前記ピーク点を基準として対称又は非対称であり、それぞれが、重畳した仮想の第１円の円周の一部及び第２円の円周の一部からなることを特徴とする、集光型光学シート。
【請求項２】
基材層と、前記基材層の一面又は両面に形成され、多数の立体構造が配列された構造層とを含んでなり、
前記構造層の立体構造は、縦断面視で流線形状を呈し、一つのピーク点を含むピーク部及び該ピーク部を基準として両方向に延長される傾斜部を含み、
前記傾斜部は、前記ピーク点を基準として対称又は非対称であり、それぞれが、重畳した仮想の第１円の円周の一部及び第２円の円周の一部からなり、
前記ピーク部は、前記仮想の第１円及び第２円の重畳部分に含まれながら第１円の円周及び第２円の円周と接する仮想の第３円の円周の一部からなることを特徴とする、集光型光学シート。
【請求項３】
前記構造層の立体構造は、幅が、前記仮想の第１円と第２円との２つの交差点を連結した仮想の線に対して垂直方向でありながら、前記第１円及び第２円の重畳部分における各円周間の最大長さに対して１／１０〜１であることを特徴とする、請求項１又は２に記載の集光型光学シート。
【請求項４】
前記第１円及び第２円の重畳部分における各円周間の最大長さは、前記仮想の第１円と第２円との２つの交差点を連結した仮想の線に対して垂直方向でありながら、５０〜１０００μｍであることを特徴とする、請求項３に記載の集光型光学シート。
【請求項５】
前記構造層の立体構造は、高さが、前記仮想の第１円と第２円との２つの交差点を連結した仮想の線の長さに対して１／２０〜１／２であることを特徴とする、請求項１又は２に記載の集光型光学シート。
【請求項６】
前記仮想の第１円と第２円との２つの交差点を連結した仮想の線の長さは１〜１０００μｍであることを特徴とする、請求項５に記載の集光型光学シート。
【請求項７】
前記ピーク部は前記傾斜部と連結され、前記仮想の第３円は５０μｍ以下の直径を有することを特徴とする、請求項２に記載の集光型光学シート。
【請求項８】
前記構造層の立体構造は線形配列又は非線形配列されたことを特徴とする、請求項１又は２に記載の集光型光学シート。
【請求項９】
前記基材層は、ポリエチレンテレフタレート樹脂、ポリメチルメタクリレート樹脂、ポリカーボネート樹脂、ポリプロピレン樹脂、ポリエチレン樹脂、ポリスチレン樹脂及びスチレン−アクリル系共重合樹脂の中から選ばれた樹脂で形成されることを特徴とする、請求項１又は２に記載の集光型光学シート。
【請求項１０】
前記構造層は、紫外線硬化性樹脂及び熱硬化性樹脂を含む高分子樹脂の中から選ばれた樹脂で形成されることを特徴とする、請求項１又は２に記載の集光型光学シート。
【請求項１１】
拡散シートと、
請求項１又は２に記載の集光型光学シートとを含んでなる、バックライトユニットアセンブリー。
【発明の詳細な説明】
【技術分野】
【０００１】
本発明は、液晶表示装置（Ｌｉｑｕｉｄ  Ｃｒｙｓｔａｌ  Ｄｉｓｐｌａｙ）に用いられる集光型光学シートに関する。
【背景技術】
【０００２】
産業社会が高度の情報化時代に発展するにつれて、多様な情報を表示及び伝達するための媒体としての電子表示装置の重要性は日増しに増大しつつある。従来から広く使用されてきたＣＲＴ（Ｃａｔｈｏｄｅ  Ｒａｙ  Ｔｕｂｅ）は、設置空間上の制約が大きくて大型化が難しいという限界のため、例えば液晶ディスプレー（ＬＣＤ）、プラズマディスプレーパネル（ＰＤＰ）、電界放出ディスプレー（ＦＥＤ）及び有機ＥＬなどの多様なフラットパネルディスプレーで代替されている。このようなフラットパネルディスプレーの中でも、特にＬＣＤの場合、液晶と半導体技術が複合された技術集約的装置であって、薄く、軽く、そして消費電力が低いという利点のため、その構造及び製造技術が研究開発されてきた。現在では、ノートブック型パソコン、デスクトップコンピュータのモニター、携帯用パーソナル通信装置（ＰＤＡ及び携帯電話）など、既存のＬＣＤが広く使用された領域だけでなく、大型化技術も益々その限界を乗り越えており、ＨＤ（Ｈｉｇｈ  Ｄｅｆｉｎｉｔｉｏｎ）ＴＶ級の大型ＴＶにまで応用されているなど、ディスプレーの代名詞であったＣＲＴを代替することが可能な新規のディスプレー装置として脚光を浴びている。
【０００３】
このようなＬＣＤでは、液晶自体が発光をすることができないため、装置の背面に別の光源を設置し、各画素に設置された液晶を介して通過光の強度を調節してコントラスト（ｃｏｎｔｒａｓｔ）を実現する。より具体的に、ＬＣＤは、液晶物質の電気的特性を用いて光の透過率を調節する装置であって、装置の背面の光源ランプから発光して各種機能性プリズムフィルム又はシートを通過し、均一度と方向性の制御された光がカラーフィルターを通過して赤、青、緑（Ｒ、Ｇ、Ｂ）の色相を実現するようにし、電気的方法で各画素のコントラストを制御して画像を実現する間接発光方式の表示装置である。このように、光源を提供する発光装置は、液晶表示装置の輝度及び均一度などの画質を決定する重要な部品である。
【０００４】
前記発光装置としては、バックライトユニット（ＢＬＵ）が広く採用されており、一般に、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）などの複数の光源を用いて放出される光を順次拡散板、拡散シート及びプリズムシートなどのシートを通過させて液晶パネルに到達させる。ここで、拡散シートは、画面全面にわたって均一な光強度を得ることができるようにすると同時に、拡散シートの下部に取り付けられた光源などの装置が前面から見えないように隠蔽する機能を行う。一方、プリズムシートは、拡散シートを経た多様な方向の光線を観測者が画像を認識するに適した視野角θの範囲内に変換されるようにする光経路制御機能を行う。
【０００５】
ところが、光源から放出された光が拡散シートを介して拡散してプリズムシートによって集光する過程で、所定の角度範囲で入射した光のみが集光可能なので、集光していない一部の光が消滅又は再集光するが、この際、集光部分と消滅部分との交差点では黄色のイエローバンド（ｙｅｌｌｏｗ  ｂａｎｄ）が発生し、消滅部分と再集光部分で発生する虹色の波動が見えるレインボー（ｒａｉｎｂｏｗ）現象が発生して不良が生ずるという問題点があった。
【０００６】
このような問題点を補完するために、従来ではプリズムシート上に保護シートを積層してきたが、最近、シートの数を減らしてより薄いディスプレーに製造し、製造工程を簡単にする趨勢に合わないため、益々保護シートを無くしている実情である。
【０００７】
よって、保護シートを使用することなく、イエローバンド又はレインボー現象を防止することが可能な方案が必要である。
【発明の概要】
【発明が解決しようとする課題】
【０００８】
そこで、本発明は、保護シートを使用することなく、イエローバンド又はレインボー現象の発生を防止する、集光型光学シートを提供しようとする。
【課題を解決するための手段】
【０００９】
本発明の好適な第１実施態様は、基材層と、前記基材層の一面又は両面に形成され、多数の立体構造が配列された構造層とを含んでなり、前記構造層の立体構造は、縦断面視で流線形状を呈し、一つのピーク点を基準として両方向に延長される傾斜部を含み、前記傾斜部は、ピーク点を基準として対称又は非対称であり、それぞれが、重畳した仮想の第１円の円周の一部及び第２円の円周の一部からなる、集光型光学シートを提供する。
【００１０】
本発明の好適な第２実施態様は、基材層と、前記基材層の一面又は両面に形成され、多数の立体構造が配列された構造層とを含んでなり、前記構造層の立体構造は、縦断面視で流線形状を呈し、一つのピーク点を含むピーク部及びピーク部を基準として両方向に延長される傾斜部を含み、前記傾斜部は、ピーク点を基準として対称又は非対称であり、それぞれが、重畳した仮想の第１円の円周の一部及び第２円の円周の一部からなり、前記ピーク部は、前記仮想の第１円及び第２円の重畳部分に含まれながら第１円の円周及び第２円の円周と接する仮想の第３円の円周の一部からなる、集光型光学シートを提供する。
【００１１】
第１実施態様及び第２実施態様において、構造層の立体構造は、幅が、仮想の第１円と第２円との２つの交差点を連結した仮想の線に対して垂直方向でありながら、第１円及び第２円の重畳部分における各円周間の最大長さに対して１／１０〜１であってもよい。
【００１２】
前記第１実施態様及び第２実施態様において、第１円及び第２円の重畳部分における各円周間の最大長さは、仮想の第１円と第２円との２つの交差点を連結した仮想の線に対して垂直方向でありながら、５０〜１０００μｍであってもよい。
【００１３】
前記第１実施態様及び第２実施態様において、構造層の立体構造は、高さが、仮想の第１円と第２円との２つの交差点を連結した仮想の線の長さに対して１／２０〜１／２であってもよい。
【００１４】
前記第１実施態様及び第２実施態様において、仮想の第１円と第２円との２つの交差点を連結した仮想の線の長さは１〜１０００μｍであってもよい。
【００１５】
前記第２実施態様において、ピーク部は傾斜部と連結され、仮想の第３円は直径が５０μｍ以下であってもよい。
【００１６】
前記第１実施態様及び第２実施態様において、構造層の立体構造は線形配列又は非線形配列されてもよい。
【００１７】
前記第１実施態様及び第２実施態様において、基材層は、ポリエチレンテレフタレート樹脂、ポリメチルメタクリレート樹脂、ポリカーボネート樹脂、ポリプロピレン樹脂、ポリエチレン樹脂、ポリスチレン樹脂及びスチレン−アクリル系共重合樹脂の中から選ばれた樹脂で形成されてもよい。
【００１８】
前記第１実施態様及び第２実施態様において、構造層は、紫外線硬化性樹脂及び熱硬化性樹脂を含む高分子樹脂の中から選ばれた樹脂で形成されてもよい。
【００１９】
本発明の好適な第３実施態様において、拡散シートと、前記第１実施態様及び第２実施態様の集光型光学シートとを含む、バックライトユニットアセンブリーを提供する。
【図面の簡単な説明】
【００２０】
【図１】本発明の好適な一実施態様に係る集光型光学シートにおける立体構造の形状を示す図である。
【図２】図１の形状を有する立体構造を含む集光型光学シートの断面図である。
【図３】本発明の好適な他の実施態様に係る集光型光学シートにおける立体構造の形状を示す図である。
【図４】図３の形状を有する立体構造を含む集光型光学シートの断面図である。
【図５】本発明の好適な別の実施態様に係る集光型光学シートにおける立体構造の形状を示す図である。
【図６】図５の形状を有する立体構造を含む集光型光学シートの断面図である。
【図７】本発明の好適な別の実施態様に係る集光型光学シートにおける立体構造の形状を示す図である。
【図８】図７の形状を有する立体構造を含む集光型光学シートの断面図である。
【図９】実施例１の集光型光学シートを適用した場合のイエローバンド及びレインボーを示す写真である。
【図１０】実施例３の集光型光学シートを適用した場合のイエローバンド及びレインボーを示す写真である。
【図１１】比較例１の集光型光学シートを適用した場合のイエローバンド及びレインボーを示す写真である。
【図１２】比較例２の集光型光学シートを適用した場合のイエローバンド及びレインボーを示す写真である。
【図１３】比較例２の集光型光学シートに保護シートを積層した場合のイエローバンド及びレインボーを示す写真である。
【図１４】参考例のレンズ状シートを適用した場合のイエローバンド及びレインボーを示す写真である。
【発明を実施するための形態】
【００２１】
以下、添付図面に基づいて本発明をより詳細に説明する。
【００２２】
図１は本発明の好適な一実施態様に係る集光型光学シートにおける立体構造の形状を示す図、図２は図１の形状を有する立体構造を含む集光型光学シートの断面図である。また、図３は本発明の好適な他の実施態様に係る集光型光学シートにおける立体構造の形状を示す図、図４は図３の形状を有する立体構造を含む集光型光学シートの断面図である。また、図５は本発明の好適な別の実施態様に係る集光型光学シートにおける立体構造の形状を示す図、図６は図５の形状を有する立体構造を含む集光型光学シートの断面図である。図７は本発明の好適な別の実施態様に係る集光型光学シートにおける立体構造の形状を示す図、図８は図７の形状を有する立体構造を含む集光型光学シートの断面図である。
【００２３】
一方、添付図面は、便宜上、同一の構成部分については同一の符号を使用したが、これは組成及び形態まで同一であることを意味するのではない。
【００２４】
本発明の好適な第１実施態様によれば、集光型光学シートは、基材層１０と、前記基材層１０の一面又は両面に形成され、多数の立体構造が配列された構造層２０とを含んでなり、前記構造層２０の立体構造２５は、縦断面視で流線形状を呈し、一つのピーク点を基準として両方向に延長される傾斜部２１を含み、前記傾斜部２１は、ピーク点を基準として対称又は非対称であり、それぞれが、重畳した仮想の第１円１００の円周の一部及び第２円２００の円周の一部からなる（図１〜図４参照）。
【００２５】
本発明の好適な第２実施態様によれば、集光型光学シートは、基材層１０と、前記基材層１０の一面又は両面に形成され、多数の立体構造が配列された構造層２０とを含んでなり、前記構造層２０の立体構造２５は、縦断面視で流線形状を呈し、一つのピーク点を含むピーク部２２及びピーク部２２を基準として両方向に延長される傾斜部２１を含み、前記傾斜部２１は、ピーク点を基準として対称又は非対称であり、それぞれが、重畳した仮想の第１円１００の円周の一部及び第２円２００の円周の一部からなり、前記ピーク部２２は、前記仮想の第１円１００及び第２円２００の重畳部分に含まれながら第１円１００の円周及び第２円２００の円周と接する仮想の第３円３００の円周の一部からなる、集光型光学シートを提供する（図５〜図８参照）。
【００２６】
本発明の好適な第１及び第２実施態様によれば、前記重畳する第１円１００と第２円２００の大きさ及び重畳部分の程度に応じて立体構造２５の大きさ及び傾斜程度が定められる。
【００２７】
すなわち、前記構造層２０の立体構造２５は、幅ｗが、重畳した仮想の第１円１００と第２円２００との２つの交差点を連結した仮想の線Ｌに対して垂直方向でありながら、前記２つの円の重畳部分における各円周間の最大長さｄに対して１／１０〜１でありうる。この際、第１円１００及び第２円２００の重畳部分における各円周間の最大長さｄは仮想の第１円１００と第２円２００との２つの交差点を連結した仮想の線Ｌに対して垂直方向でありながら５０〜１０００μｍであることが、光の経路を考慮し、集光の側面と、レインボー現象及びイエローバンドが発生しないように光を屈折させる側面で有利でありうる。
【００２８】
前記構造層２０の立体構造２５は、前述したように幅ｗをまず決定すると、高さｈは自然的に決定される。第１円１００と第２円２００との２つの交差点を連結した仮想の線Ｌの長さに対して前記立体構造の高さｈが１／２０〜１／２であることが、光の経路を考慮し、集光の側面と、レインボー現象及びイエローバンドが発生しないように光を屈折させる側面で有利でありうる。この際、前記第１円１００と第２円２００の２つの交差点を連結した仮想の線Ｌの長さは１〜１０００μｍでありうる。
【００２９】
前記説明は立体構造２５の幅をまず決定した場合であり、これとは反対に、立体構造２５の高さｈをまず決定すると、幅ｗが自然的に決定されうる。
【００３０】
一方、本発明の集光型光学シートは、本発明の好適な第２実施態様と同様に、緩やかなピーク部２２を含むことができるが、このピーク部は、前記傾斜部２１を形成する２つの仮想の円の重畳部分に含まれながら接する仮想の第３円３００の円周の一部からなる。
【００３１】
前記第３円３００の大きさ及び位置に応じて、ピーク部２２の湾曲程度及び大きさが決定される。第３円３００は、第１円１００及び第２円２００の重畳部分の面積内に位置しながら、その円周が第１円１００及び第２円２００の円周に接するものである。よって、ピーク部２２の形成位置及び集光効率を考慮し、第３円３００の直径は５０μｍ以下であってもよい。
【００３２】
前記第１円１００と第２円２００は、図１及び図５に示すように、互いに同じ直径の円であってもよく、図３及び図７に示すように、互いに異なる直径の円であってもよい。これにより、立体構造２５は、縦断面視で、ピークを中心として対称になってもよく、非対称になってもよい。
【００３３】
また、前記構造層２０の立体構造２５は、線形配列又は非線形配列されてもよい。
【００３４】
このような形状を有する立体構造２５は、光が入射して屈折されて出射角度が異なるので、レインボー現象及びイエローバンドが発生しない。また、レンズ状レンズのような場合には、レインボー現象及びイエローバンドが発生しないが、集光の機能を行わないため輝度が非常に低下するが、前記形状を有する立体構造２５は、既存のプリズム構造と同様に、高い輝度程度ではないが、要求される水準の輝度以上は充分に提供することができる。
【００３５】
このような本発明の集光型光学シートは、従来の公知の技術で製造できる。すなわち、基材層１０の一面に、紫外線硬化性樹脂又は熱硬化性樹脂を含む溶液を塗布及び硬化して構造層２０を形成したものでありうる。
【００３６】
前記基材層１０としては、ポリエチレンテレフタレート樹脂、ポリメチルメタクリレート樹脂、ポリカーボネート樹脂、ポリプロピレン樹脂、ポリエチレン樹脂、ポリスチレン樹脂、又はスチレン−アクリル系共重合樹脂などを使用することができる。
【００３７】
前記構造層２０を構成する樹脂は、硬化性樹脂であって、光透過性材料であれば特に限定されない。すなわち、紫外線硬化性樹脂或いは熱硬化性樹脂を含む高分子樹脂であればいずれも使用可能であるが、例えば、不飽和脂肪酸エステル、芳香族ビニル化合物、不飽和脂肪酸及びその誘導体、不飽和二塩基酸（ｕｎｓａｔｕｒａｔｅｄ  ｄｉｂａｓｉｃ  ａｃｉｄ）及びその誘導体、メタクリロニトニルなどのシアン化ビニル化合物などが使用できる。この際、基材層１０との屈折率を考慮し、使用する高分子樹脂を調節することができる。
【００３８】
前記基材層１０の厚さは、機械的強度、熱安定性及び柔軟性が有利となるようにし、透過光の損失を防止する側面で、１０〜１０００μｍであってもよく、好ましくは１５〜４００μｍである。
【００３９】
一方、図示してはいないが、基材層１０の一面に構造層２０が形成される場合、基材層１０の他の一面には底面層が硬化形成されてもよく、公知の光拡散性粒子としての有機粒子又は無機粒子を使用してもよい。
【００４０】
このように、本発明は、上述した集光型光学シートを含むバックライトユニットアセンブリーを提供することができ、前記集光型光学シートが最上層に形成されて追加の保護シートをさらに含まないバックライトユニットアセンブリーを提供することができる。
【００４１】
以下、本発明を実施例によってさらに詳細に説明する。本発明の範囲はこれらの実施例に限定されるものではない。
【実施例】
【００４２】
〈実施例１〉
基材層として１８８μｍのポリエチレンテレフタレートフィルムＴ６００（三菱社）（屈折率：１．４９）を使用した。
【００４３】
構造層の立体構造を設計するために図１のように設計するが、仮想の第１円及び第２円の円周の直径はそれぞれ２５０μｍであり、仮想の第１円と第２円との交差点を連結した仮想の線Ｌの長さは２００μｍであり、第１円及び第２円の重畳部分における各円周間の最大長さｄは２つの交差点を連結した仮想の線Ｌに対して垂直方向でありながら１００μｍとなるようにし、立体構造の幅ｗは５０μｍ（ｄ長さの１／２）、立体構造の高さｈは２５μｍ（Ｌ長さの１／８）となるようにモールドを製作した。アクリル系紫外線硬化型樹脂組成物（屈折率：１．５８）を投入して紫外線硬化させた構造層（屈折率：１．６０）を形成して集光型光学シートを製造した。
【００４４】
〈実施例２〉
仮想の第１円と第２円との交差点を連結した仮想の線Ｌの長さは２２５μｍであり、第１円及び第２円の重畳部分における各円周間の最大長さｄは２つの交差点を連結した仮想の線Ｌに対して垂直方向でありながら１５０μｍとなるようにし、立体構造の幅ｗは５０μｍ（ｄ長さの１／３）、立体構造の高さｈは１２．５μｍ（Ｌ長さの１／１８）となるようにした以外は、実施例１と同様の方法で集光型光学シートを製造した。
【００４５】
〈実施例３〉
仮想の第１円及び第２円の円周の直径はそれぞれ５００μｍであり、仮想の第１円と第２円との交差点を連結した仮想の線Ｌの長さは３５０μｍであり、第１円及び第２円の重畳部分における各円周間の最大長さｄは２つの交差点を連結した仮想の線Ｌに対して垂直方向でありながら１５０μｍとなるようにし、立体構造の幅ｗは５０μｍ（ｄ長さの１／３）、立体構造の高さｈは２５μｍ（Ｌ長さの１／１４）となるようにした以外は、実施例１と同様の方法で集光型光学シートを製造した。
【００４６】
〈実施例４〉
構造層の立体構造を設計するために図５のように設計するが、仮想の第１円及び第２円の重畳部分に位置しながら第１円及び第２円の円周と接する仮想の第３円の直径は１０μｍであり、立体構造の高さは２３μｍとなるようにした以外は、実施例１と同様の方法で集光型光学シートを製造した。
【００４７】
〈実施例５〉
仮想の第３円の直径が２０μｍであり、立体構造の高さｈは２１μｍとなるようにした以外は、実施例４と同様の方法で集光型光学シートを製造した。
【００４８】
〈実施例６〉
構造層の立体構造を設計するために図３のように設計するが、仮想の第１円及び第２円の円周の直径はそれぞれ１５０μｍ及び２５０μｍであり、仮想の第１円と第２円との交差点を連結した仮想の線Ｌの長さは１４５μｍであり、第１円及び第２円の重畳部分における各円周間の最大長さｄは２つの交差点を連結した仮想の線Ｌに対して垂直方向でありながら８０μｍとなるようにし、立体構造の幅ｗは５０μｍ、立体構造の高さｈは２３μｍとなるようにモールドを製作した。アクリル系紫外線硬化型樹脂組成物（屈折率：１．５８）を投入して紫外線硬化させた構造層（屈折率：１．６０）を形成して集光型光学シートを製造した。
【００４９】
〈実施例７〉
構造層の立体構造を設計するために図７のように設計するが、仮想の第１円及び第２円の重畳部分に位置しながら第１円及び第２円の円周と接する仮想の第３円は直径が１０μｍ、高さｈが２１μｍとなるようにした以外は、実施例６と同様の方法で集光型光学シートを製造した。
【００５０】
〈比較例１〉
集光型光学シートとして、Ｋｏｌｏｎ社のＬＣ２１３（縦断面視で、頂角：９０°、ピーク部分（Ｒ＝１）：ラウンド形状、ピッチ：５０μｍ、高さ：２５μｍ）を準備した。
【００５１】
〈比較例２〉
集光型光学シートとして、Ｋｏｌｏｎ社のＬＣ４０３（縦断面視で、直角三角形の頂角：９０°、ピッチ：５０μｍ、高さ：２５μｍ）を準備した。
【００５２】
前記実施例及び比較例の集光型光学シートを拡散シート（製造社：Ｋｏｌｏｎ、商品名：ＬＸ２１０）の上部に積層し、次のように物性を評価して表１、図９〜図１４に示した。
【００５３】
比較例２の集光型光学シートは、さらに保護シート（製造社：Ｋｏｌｏｎ、商品名：ＬＤ２４３）を積層した場合に対しても、同じ方法で物性を評価した。
【００５４】
また、参考例として、前記実施例及び比較例の集光型光学シートを使用する代わりに、レンズ状シート（製造社：Ｋｏｌｏｎ、商品名：Ｌ−Ｇｒａｄｅ）を積層して物性を評価した。
【００５５】
（１）輝度の評価
実施例１〜７、比較例１及び２で製造された集光型光学シート、比較例２＋保護シート、及び参考例のレンズ状シートは、１７インチの液晶ディスプレーパネル用バックライトユニットに前述のとおり取り付けて固定し、輝度計（モデル名：ＢＭ−７、日本ＴＯＰＣＯＮ社）を用いて任意の１３地点の輝度を測定し、その平均値を求めた。
【００５６】
（２）イエローバンドの観察
上下視野角による観察の際に略４０°付近で、左右視野角による観察の際には略５０°付近でデジタルカメラによって撮影して観察した。
【００５７】
（３）レインボーの観察
上下視野角による観察の際に略４０°以上で、サイドローブ（Ｓｉｄｅ−Ｌｏｂｅ）発生地点前までの区間でデジタルカメラによって撮影して観察した。
【００５８】
【表１】
2012533763.tif 000003
【００５９】
前記物性評価の結果、本発明の集光型光学シートは、従来のプリズムシートに保護シートを積層した場合と大きく異ならない程度の適正な輝度水準を保ちながら、イエローバンド又はレインボー現象が発生しないことが分かる。
【００６０】
以上、本発明の好適な実施例について詳細に開示したが、本発明の属する技術分野における通常の知識を有する者であれば、添付した請求の範囲に開示された本発明の精神と範囲から逸脱することなく、様々な変形、追加及び置換を加え得ることを理解するであろう。
【図１】
2012533763.tif 000004
【図２】
2012533763.tif 000005
【図３】
2012533763.tif 000006
【図４】
2012533763.tif 000007
【図５】
2012533763.tif 000008
【図６】
2012533763.tif 000009
【図７】
2012533763.tif 000010
【図８】
2012533763.tif 000011
【図９】
2012533763.tif 000012
【図１０】
2012533763.tif 000013
【図１１】
2012533763.tif 000014
【図１２】
2012533763.tif 000015
【図１３】
2012533763.tif 000016
【図１４】
2012533763.tif 000017
【国際調査報告】
2012533763.tif 000018
2012533763.tif 000019